(57)【要約】【課題】遊技盤の配置スペースを確保して、前扉の防犯性を高めることができる遊技機の施錠装置を提供すること。【解決手段】遊技機６の施錠装置１は、シリンダ錠２、前扉７の側部７０１に配置された第１施錠機構３、前扉７の側部７０１に配置されたスライド機構３Ａ、本体枠の側部に配置された第２施錠機構４、及び前扉７の下部７０２に配置された第３施錠機構５を備える。第１施錠機構３及び第３施錠機構５は、シリンダ錠２の操作を受けて、本体枠に対する前扉７の閉状態の施錠及び解錠を行う。スライド機構３Ａ及び第２施錠機構４は、シリンダ錠２の操作を受けて、外枠に対する本体枠の閉状態の施錠及び解錠を行う。【選択図】図２
2018082826.tif 000002
【特許請求の範囲】
【請求項１】
外枠と、前記外枠に対して開閉可能に設けられた本体枠と、前記本体枠に対して開閉可能に設けられた前扉とを備える遊技機に用いられる施錠装置であって、
前記前扉に設けられ、鍵による操作が可能なシリンダ錠と、
前記前扉の側部に配置され、前記シリンダ錠の操作を受けて前記本体枠に対する前記前扉の閉状態の施錠及び解錠を行うために上下方向にスライド可能な第１施錠機構と、
前記前扉の側部に配置され、前記シリンダ錠の操作を受けて上下方向にスライド可能なスライド機構と、
前記スライド機構と係合して前記本体枠の側部に配置され、前記外枠に対する前記本体枠の閉状態の施錠及び解錠を行うために、前記スライド機構のスライドを受けて上下方向にスライド可能な第２施錠機構と、
前記前扉の下部に配置され、前記シリンダ錠の操作を受けて前記本体枠に対する前記前扉の閉状態の施錠及び解錠を行うために左右方向にスライド可能な第３施錠機構と、を備える、遊技機の施錠装置。
【請求項２】
前記第２施錠機構は、前記外枠の上下方向に複数並んで設けられた第２被係合部とそれぞれ係合する複数の第２係合部を有し、かつ、複数の前記第２被係合部に複数の前記第２係合部が係合して、前記外枠に対する前記本体枠の閉状態を施錠するための施錠位置と、複数の前記第２被係合部に対する複数の前記第２係合部の係合が解除されて、前記外枠に対する前記本体枠の閉状態を解錠するための解錠位置とにスライド可能であり、
前記第２施錠機構の前後方向の中心よりも前側に配置された前記第２施錠機構の前側部分は、前記第２施錠機構の前後方向の中心よりも後側に配置された前記第２施錠機構の後側部分に比べて左右方向の外側に位置している、請求項１に記載の遊技機の施錠装置。
【発明の詳細な説明】
【技術分野】
【０００１】
本発明は、前扉と本体枠、外枠と本体枠の施錠及び解錠を行う遊技機の施錠装置に関する。
【背景技術】
【０００２】
パチンコ遊技機等の遊技機においては、本体枠に対して、ガラス板が配置された前扉が開閉可能であり、外枠に対して、遊技盤が配置された本体枠が開閉可能である。また、遊技機の施錠装置は、本体枠に対して前扉が閉じられた状態の施錠及び解錠を可能にするとともに、外枠に対して本体枠が閉じられた状態の施錠及び解錠を可能にするよう構成されている。施錠装置は、一般的には本体枠に設けられている。これ以外にも、例えば、特許文献１に示されるパチンコ機開閉装置においては、施錠用のシリンダ錠との干渉を避けるための切欠きを前扉に形成する必要をなくすために、前扉と本体枠とに施錠装置を分散して設けることが開示されている。
【先行技術文献】
【特許文献】
【０００３】
【特許文献１】特開平１０−３０９３６３号公報
【発明の概要】
【発明が解決しようとする課題】
【０００４】
特許文献１等の従来の遊技機において、本体枠に対して前扉を閉じた状態の施錠は、前扉のいずれかの側部において行われる。そのため、前扉の下部が直接施錠されていないことによって、不正行為に対する防犯上、前扉の下部が弱い部分となる。特に、近年の遊技機においては、意匠性の向上等を目的として、前扉に球皿を一体的に設けることが行われている。この場合、球皿を遊技機の前方に引っ張る行為を想定したとき、この行為によって前扉と本体枠との間に隙間ができやすくなり、この隙間を介して不正行為が行われるおそれがある。
【０００５】
前記不正行為に対する防犯性を高めるために、前扉の下部にも、前扉を本体枠に閉じた状態を維持するための施錠装置を設けることが考えられる。しかし、この場合、施錠装置の構造に工夫をしないと、施錠装置によって本体枠のスペースが圧迫され、本体枠に配置する遊技盤の配置スペースが縮小されるおそれがある。よって、遊技盤の遊技領域を確保して、本体枠に対する前扉の施錠を強固にするためには、更なる工夫が必要とされる。
【０００６】
本発明は、かかる課題に鑑みてなされたもので、遊技盤の配置スペースを確保して、前扉の防犯性を高めることができる遊技機の施錠装置を提供しようとして得られたものである。
【課題を解決するための手段】
【０００７】
本発明の一態様は、外枠と、前記外枠に対して開閉可能に設けられた本体枠と、前記本体枠に対して開閉可能に設けられた前扉とを備える遊技機に用いられる施錠装置であって、
前記前扉に設けられ、鍵による操作が可能なシリンダ錠と、
前記前扉の側部に配置され、前記シリンダ錠の操作を受けて前記本体枠に対する前記前扉の閉状態の施錠及び解錠を行うために上下方向にスライド可能な第１施錠機構と、
前記前扉の側部に配置され、前記シリンダ錠の操作を受けて上下方向にスライド可能なスライド機構と、
前記スライド機構と係合して前記本体枠の側部に配置され、前記外枠に対する前記本体枠の閉状態の施錠及び解錠を行うために、前記スライド機構のスライドを受けて上下方向にスライド可能な第２施錠機構と、
前記前扉の下部に配置され、前記シリンダ錠の操作を受けて前記本体枠に対する前記前扉の閉状態の施錠及び解錠を行うために左右方向にスライド可能な第３施錠機構と、を備える、遊技機の施錠装置にある。
【発明の効果】
【０００８】
前記遊技機の施錠装置においては、本体枠に対する前扉の側部の施錠を行うための第１施錠機構と、本体枠に対する前扉の下部の施錠を行うための第３施錠機構とを、前扉に配置している。そして、第１施錠機構及び第３施錠機構は、いずれも同じシリンダ錠の操作を受けてスライドして施錠及び解錠を行う。これにより、簡単な構造上の工夫によって、本体枠に対する前扉の施錠を強固にし、前扉を遊技機の前方に引っ張るときに前扉と本体枠との間に形成される隙間を利用した不正行為に対して、前扉の防犯性を高めることができる。
【０００９】
また、前扉の側部の施錠を行う第１施錠機構と、前扉の下部の施錠を行う第３施錠機構とを、前扉に集約して設けており、本体枠には、前扉の側部に配置されたスライド機構のスライドを受けてスライドする第２施錠機構が設けられるのみである。これにより、施錠装置の配置によって、本体枠における遊技盤の配置スペースが縮小されないようにすることができる。
【００１０】
それ故、前記遊技機の施錠装置によれば、遊技盤の配置スペースを確保して、前扉の防犯性を高めることができる。
【００１１】
なお、第３施錠機構が配置される「前扉の下部」とは、前扉における、ガラス板等の透明板を有する透明板ユニットが配置された位置よりも下方のことをいう。例えば、前扉の前面の下部には、球皿が設けられることがある。この場合、第３施錠機構は、前扉における透明板ユニットよりも下方のいずれの位置に配置することもできる。
【図面の簡単な説明】
【００１２】
【図１】実施形態にかかる、施錠装置の一部が配置された前扉を、裏側から見た状態で示す説明図。
【図２】実施形態にかかる、前扉の裏面の一部を部分的に拡大して示し、第１施錠機構及び第３施錠機構が、本体枠に前扉を施錠する状態を示す説明図。
【図３】実施形態にかかる、図２の一部をさらに部分的に拡大して示し、第１施錠機構及び第３施錠機構が、本体枠に前扉を施錠する状態を示す説明図。
【図４】実施形態にかかる、前扉の裏面の一部を部分的に拡大して示し、第１施錠機構及び第３施錠機構が、本体枠に対する前扉の施錠を解錠した状態を示す説明図。
【図５】実施形態にかかる、前扉の裏面の一部を部分的に拡大して示し、第１施錠機構（スライド機構及び第２施錠機構）が、外枠に対する本体枠の施錠を解錠した状態を示す説明図。
【図６】実施形態にかかる、本体枠に設けられた第２施錠機構の周辺を、左右方向の内側から見た状態で示す説明図。
【図７】実施形態にかかる、外枠、本体枠及び前扉における、施錠装置が配置された側部を、上方から見た便宜上の断面によって示す説明図。
【図８】実施形態にかかる、外枠、本体枠及び前扉における、施錠装置が配置された側部を、上方から見た便宜上の断面によって示し、本体枠に対して前扉が開けられた状態を示す説明図。
【図９】実施形態にかかる、外枠、本体枠及び前扉における、施錠装置が配置された側部を、上方から見た便宜上の断面によって示し、外枠に対して本体枠が開けられた状態を示す説明図。
【図１０】実施形態にかかる、本体枠を裏側から見た状態で示す説明図。
【図１１】実施形態にかかる、本体枠の球タンクを上方から見た状態で示す説明図。
【発明を実施するための形態】
【００１３】
前述した遊技機の施錠装置にかかる好ましい実施形態について、図面を参照して説明する。
遊技機６の施錠装置１は、図１、図６、図７に示すように、遊技機６において用いられ、遊技機６は、外枠６１と、外枠６１に対して開閉可能に設けられた本体枠６２と、本体枠６２に対して開閉可能に設けられた前扉７とを備える。施錠装置１は、シリンダ錠２、第１施錠機構３、スライド機構３Ａ、第２施錠機構４及び第３施錠機構５を備える。
シリンダ錠２は、前扉７に設けられており、鍵２１による回動操作が可能なものである。第１施錠機構３は、前扉７の左右方向Ｗの側部７０１に配置されており、シリンダ錠２の操作を受けて本体枠６２に対する前扉７の閉状態の施錠及び解錠を行うために上下方向Ｈにスライド可能である。
【００１４】
スライド機構３Ａは、図２、図３に示すように、前扉７の側部７０１に配置されており、シリンダ錠２の操作を受けて上下方向Ｈにスライド可能である。第２施錠機構４は、図６に示すように、スライド機構３Ａと係合して本体枠６２の側部６０２に配置されており、外枠６１に対する本体枠６２の閉状態の施錠及び解錠を行うために、スライド機構３Ａのスライドを受けて上下方向Ｈにスライド可能である。第３施錠機構５は、図２、図３に示すように、前扉７の下部７０２に配置されており、シリンダ錠２の操作を受けて本体枠６２に対する前扉７の閉状態の施錠及び解錠を行うために左右方向Ｗにスライド可能である。
【００１５】
以下、本形態の遊技機６の施錠装置１について詳説する。
（遊技機６の構成）
図７に示すように、本形態の遊技機６は、遊技盤６２１の遊技領域へ遊技球を発射して、パチンコ遊技を行うパチンコ遊技機である。遊技機６の外枠６１は、木材、樹脂、金属等によって形成された枠形状を有しており、遊技場に設置される部位である。遊技機６の本体枠６２は、遊技盤６２１、液晶表示装置、種々の制御装置等が配置される部位である。遊技機６の前扉７は、本体枠６２の前面に配置され、電飾、演出等の意匠性が考慮された部位である。
【００１６】
本形態において、前面とは、遊技機６に対して遊技者が対向する、遊技機６の前後方向Ｄの前側の表面のことをいい、裏面とは、前面と反対側の表面のことをいう。図６〜図９、図１１においては、前後方向Ｄの前側を符号Ｄ１によって示す。本体枠６２に対する前扉７の閉状態の施錠又は解錠のことを、単に、本体枠６２に対する前扉７の施錠又は解錠ということがある。また、外枠６１に対する本体枠６２の閉状態の施錠又は解錠のことを、単に、外枠６１に対する本体枠６２の施錠又は解錠ということがある。
【００１７】
図１に示すように、前扉７は、ガラス板等の透明板７２２、及び透明板７２２の縁部を保持する枠体７２１を有する透明板ユニット７２と、透明板７２２が配置される開口部７１１を有し、枠体７２１を支持する扉本体７１とを備える。透明板ユニット７２は、扉本体７１に着脱可能に取り付けられている。第１施錠機構３、スライド機構３Ａ及び第３施錠機構５は、扉本体７１の裏面に設けられている。
【００１８】
図示は省略するが、遊技球を貯留する球皿は、前扉７の前面における下部、言い換えれば、前扉７における、透明板ユニット７２の配置箇所の下方位置に配置されている。前扉７における、球皿の配置箇所の側方には、遊技盤６２１の遊技領域へ発射させる遊技球の発射強度を調整するための操作ハンドルが配置されている。本体枠６２に対して前扉７を開けたときには、球皿の裏面が開放され、球皿の周辺のメンテナンスを行うことができる。
【００１９】
（シリンダ錠２の構成）
図２、図３に示すように、遊技機６の施錠装置１は、外枠６１に対する本体枠６２の施錠及び本体枠６２に対する前扉７の施錠を行うものである。シリンダ錠２は、前扉７の前面において、鍵２１を差し込むための鍵穴２１１を有する。また、シリンダ錠２の裏面には、鍵穴２１１に差し込まれた鍵２１によって回動操作されるカム２２が設けられている。カム２２は、シリンダ錠２の回動軸に取り付けられており、カム２２には、上側係止部２２１及び下側係止部２２２が上下方向Ｈに並んで設けられている。
【００２０】
シリンダ錠２の鍵穴２１１及びカム２２が定位置２０１にあるときには、本体枠６２に対する前扉７の施錠及び外枠６１に対する本体枠６２の施錠が行われている。シリンダ錠２の鍵穴２１１に差し込まれた鍵２１によって、カム２２は、鍵穴２１１に鍵２１を差し込む、遊技機６の管理者によって、定位置２０１から、第１回動方向Ｃ１と、第１回動方向Ｃ１とは反対側の第２回動方向Ｃ２とに回動操作される。図４に示すように、カム２２が第１回動方向Ｃ１に回動されたときには、第１施錠機構３及び第３施錠機構５による、本体枠６２に対する前扉７の解錠が行われる。一方、図５に示すように、カム２２が第２回動方向Ｃ２に回動されたときには、スライド機構３Ａ及び第２施錠機構４による、外枠６１に対する本体枠６２の解錠が行われる。
【００２１】
（第１施錠機構３及びスライド機構３Ａの構成）
図１に示すように、施錠装置１は、前扉７の扉本体７１の側方（本形態では前扉７の裏面から見て左側の側方）に取り付けられた前扉ベース部材３１を有する。前扉ベース部材３１は、前扉７の扉本体７１の側方における上下方向Ｈの略全長に亘って配置されている。
【００２２】
図２に示すように、本形態の第１施錠機構３は、前扉ベース部材３１に対して上下方向Ｈにスライドする第１スライド部材３２を用いて構成されている。本形態のスライド機構３Ａは、第２施錠機構４をスライドさせるために、第１スライド部材３２を利用して構成されている。スライド機構３Ａは、第１スライド部材３２の一部として形成された押圧部３２３を有する。
【００２３】
第１スライド部材３２は、図２に示すように、本体枠６２に対する前扉７の施錠及び外枠６１に対する本体枠６２の施錠を行うための施錠位置３０１と、図４に示すように、施錠位置３０１から上下方向Ｈの一方（本形態では下方）にスライドして、本体枠６２に対する前扉７の解錠を行うための第１解錠位置３０２と、図５に示すように、施錠位置３０１から上下方向Ｈの他方（本形態では上方）にスライドして、外枠６１に対する本体枠６２の解錠を行うための第２解錠位置３０３とにスライド可能である。
【００２４】
図３に示すように、第１スライド部材３２には、カム２２の上側係止部２２１によって係止される上側被係止部３２１と、カム２２の下側係止部２２２によって係止される下側被係止部３２２とが形成されている。本形態の上側被係止部３２１及び下側被係止部３２２は、上側係止部２２１及び下側係止部２２２がそれぞれ挿入される貫通穴として形成されている。
【００２５】
図４に示すように、シリンダ錠２のカム２２が第１回動方向Ｃ１に回動されると、上側被係止部３２１が上側係止部２２１によって係止されて、第１スライド部材３２が施錠位置３０１から第１解錠位置３０２へスライドする。一方、図５に示すように、シリンダ錠２のカム２２が第２回動方向Ｃ２に回動されると、下側被係止部３２２が下側係止部２２２によって係止されて、第１スライド部材３２が施錠位置３０１から第２解錠位置３０３へスライドする。
【００２６】
図１に示すように、前扉ベース部材３１と第１スライド部材３２との間には、第１スライド部材３２を施錠位置３０１に付勢するとともに、シリンダ錠２のカム２２を定位置２０１に付勢する付勢部材３５，３６が掛け渡されている。付勢部材３５，３６には、第１解錠位置３０２にスライドした第１スライド部材３２を施錠位置３０１に付勢する第１付勢部材３５と、第２解錠位置３０３にスライドした第１スライド部材３２を施錠位置３０１に付勢する第２付勢部材３６とがある。各付勢部材３５，３６は、引張バネによって構成されており、それぞれ複数掛け渡されている。
【００２７】
本形態においては、第１スライド部材３２に、第１施錠機構３及びスライド機構３Ａの機能を持たせている。そのため、第１スライド部材３２を施錠位置３０１から第２解錠位置３０３へスライドさせるときには、このスライドによって本体枠６２に対して前扉７が解錠されないようにする必要がある。
そこで、図２、図３に示すように、第１スライド機構３における、本体枠６２に係合する部位には、第１スライド部材３２に対して連結（係脱）可能な係合部材３３が複数設けられている。そして、第１スライド部材３２が施錠位置３０１にあるときには、係合部材３３によって本体枠６２に対する前扉７の施錠を行う。また、第１スライド部材３２が第２解錠位置３０３にスライド（本形態では、上方へスライド）するときには、第１スライド部材３２と係合部材３３とが連結されないことによって係合部材３３が移動せず、本体枠６２に対する前扉７の施錠が維持される。
【００２８】
図１に示すように、本体枠６２の側部６０２には、第１施錠機構３による前扉７と本体枠６２との施錠及び解錠を行うために、複数の第１被係合部６２２が上下方向Ｈに並んで設けられている。第１施錠機構３における、複数の第１被係合部６２２とそれぞれ係合する複数の第１係合部３４は、フック形状を有しており、複数の係合部材３３にそれぞれ形成されている。本形態の第１被係合部６２２は、本体枠６２の側部６０２の上下方向Ｈに並ぶ３箇所に設けられており、第１係合部３４は、前扉７の側部７０１の上下方向Ｈに並ぶ３箇所に設けられている。
【００２９】
本体枠６２に対して前扉７を安定して施錠するために、第１被係合部６２２及び第１係合部３４は、本体枠６２及び前扉７の上下方向Ｈにおける、上側の部位と下側の部位とそれらの中間の部位とに設けられている。複数の第１係合部３４は、図２に示すように、第１スライド部材３２が施錠位置３０１にある状態において、複数の第１被係合部６２２に係合しており、図４に示すように、第１スライド部材３２が第１解錠位置３０２に向けて下方にスライドした状態において、複数の第１被係合部６２２との係合が解除される。
【００３０】
本形態の第１施錠機構３は、前扉ベース部材３１、第１スライド部材３２、係合部材３３及び第１付勢部材３５によって構成されている。また、本形態のスライド機構３Ａは、前扉ベース部材３１、第１スライド部材３２及び第２付勢部材３６によって構成されている。
【００３１】
（第２施錠機構４の構成）
図６、図７に示すように、施錠装置１は、本体枠６２の側方（本形態では裏面から見て左側の側方）に取り付けられた本体枠ベース部材４１を有する。本体枠ベース部材４１は、本体枠６２の側方における上下方向Ｈの略全長に亘って配置されている。
本形態の第２施錠機構４は、本体枠ベース部材４１に対して上下方向Ｈにスライドする第２スライド部材４２を用いて構成されている。図２、図６に示すように、第２スライド部材４２には、第１スライド部材３２における押圧部３２３によって上方に押される被押圧部４３が形成されている。第２スライド部材４２は、外枠６１に対する本体枠６２の施錠を行うための施錠位置４０１と、施錠位置４０１から上方にスライドして、外枠６１に対する本体枠６２の解錠を行うための解錠位置４０２とにスライド可能である。
【００３２】
図６に示すように、本体枠ベース部材４１と第２スライド部材４２との間には、第２スライド部材４２を施錠位置４０１に付勢する第３付勢部材４４が掛け渡されている。第３付勢部材４４は、引張バネによって構成されており、複数掛け渡されている。
【００３３】
同図に示すように、外枠６１の側部６０１には、第２施錠機構４による外枠６１と本体枠６２との施錠及び解錠を行うために、複数の第２被係合部６１１が上下方向Ｈに並んで設けられている。第２スライド部材４２には、複数の第２被係合部６１１とそれぞれ係合する複数の第２係合部４５が設けられている。本形態の第２被係合部６１１は、外枠６１の側部６０１の上下方向Ｈに並ぶ２箇所に設けられており、第２係合部４５は、本体枠６２の側部６０２の上下方向Ｈに並ぶ２箇所に設けられている。
なお、図７は、説明のための便宜上の断面によって示す。そのため、同図における第２係合部４５、第２被係合部６１１等は、実際の断面における見え方とは異なる。
【００３４】
図６に示すように、外枠６１に対して本体枠６２を安定して施錠するために、第２被係合部６１１及び第２係合部４５は、外枠６１及び本体枠６２の上下方向Ｈにおける上側の部位と下側の部位とに設けられている。複数の第２係合部４５は、第２スライド部材４２が施錠位置４０１にある状態において、複数の第２被係合部６１１に係合しており、第２スライド部材４２が解錠位置４０２に向けて上方にスライドした状態において、複数の第２被係合部６１１との係合が解除される。
【００３５】
なお、本形態の下側の第２係合部４５は、第２スライド部材４２に対して回動係合可能な係合部材４６に設けられている。これにより、外枠６１に対して本体枠６２が解錠されたときに、第２被係合部６１１に対する下側の第２係合部４５の係合が解除された状態が維持される。そして、下側の第２係合部４５の係合が解除された状態が維持されることに伴って、第２スライド部材４２が解錠位置４０２に維持される状態となる。これにより、第２被係合部６１１に対する上側の第２係合部４５の係合が解除された状態も維持されることとなり、その結果、本体枠６２が解錠された状態が一旦維持される。
【００３６】
その後、外枠６１に対して本体枠６２を開けることが可能となる。これにより、遊技機６の管理者は、外枠６１に対する本体枠６２の解錠操作と、外枠６１に対する本体枠６２の開放操作とを段階的に行うことができる。また、解錠操作と開放操作とを段階的に行う工夫により、例えば、遊技機６の管理者は、鍵２１から手を離して、前扉７に配置された操作ハンドル等を用いて、外枠６１に対する本体枠６２の開閉作業を行うことができ、その作業を容易にすることができる。なお、本体枠６２が解錠された状態が一旦維持される構造は採用しなくてもよい。
本形態の第２施錠機構４は、本体枠ベース部材４１、第２スライド部材４２、第２係合部４５、係合部材４６及び第３付勢部材４４によって構成されている。
【００３７】
（第３施錠機構５の構成）
図１〜図３に示すように、第３施錠機構５は、前扉７に対して左右方向Ｗにスライドする第３スライド部材５１を用いて構成されている。前扉ベース部材３１には、シリンダ錠２のカム２２の上側係止部２２１に係止されて上下方向Ｈにスライドするスライド伝達部材５２と、スライド伝達部材５２のスライドを受けて回動し、第３スライド部材５１を左右方向Ｗにスライドさせるための回動部材５３とが配置されている。
【００３８】
第３スライド部材５１は、図２に示すように、本体枠６２に対する前扉７の施錠を行うための施錠位置５０１と、図４に示すように、施錠位置５０１から左右方向Ｗにスライドして、本体枠６２に対する前扉７の解錠を行うための解錠位置５０２とにスライド可能である。第３スライド部材５１は、前扉７に設けられた案内部材５１２によって左右方向Ｗに案内されてスライドする。案内部材５１２と第３スライド部材５１との間には、第３スライド部材５１を施錠位置５０１に付勢する第４付勢部材５４が掛け渡されている。第４付勢部材５４は、引張バネによって構成されている。
【００３９】
図３に示すように、スライド伝達部材５２は、シリンダ錠２のカム２２の上側係止部２２１によって係止されるよう、前扉ベース部材３１における、第１スライド部材３２に隣接する位置に配置されている。スライド伝達部材５２は、図２、図５に示すように、第３スライド部材５１を施錠位置３０１に保つための定位置５０３と、図４に示すように、第３スライド部材５１を解錠位置５０２にスライドさせるためのスライド位置５０４とにスライド可能である。前扉ベース部材３１とスライド伝達部材５２との間には、スライド伝達部材５２を定位置５０３に付勢する第５付勢部材５５が掛け渡されている。第５付勢部材５５は、引張バネによって構成されている。
【００４０】
図３に示すように、スライド伝達部材５２には、カム２２の上側係止部２２１によって係止される、貫通穴による伝達被係止部５２１が形成されている。また、スライド伝達部材５２には、カム２２の下側係止部２２２との干渉を避けるための逃げ穴５２２、及び回動部材５３と係合するための伝達係合穴５２３も形成されている。なお、前扉ベース部材３１には、カム２２の上側係止部２２１及び下側係止部２２２との干渉を避けるための逃げ穴３１１が形成されている。
【００４１】
スライド伝達部材５２は、図４に示すように、シリンダ錠２のカム２２が第１回動方向Ｃ１に回動されるときには、カム２２の上側係止部２２１によって、第１スライド部材３２とともにスライドする一方、図５に示すように、シリンダ錠２のカム２２が第２回動方向Ｃ２に回動されるときにはスライドしない。回動部材５３には、スライド伝達部材５２の伝達係合穴５２３と係合する回動係合部５３１と、第３スライド部材５１を押圧するための押圧突起部５３２とが形成されている。
【００４２】
図１に示すように、本体枠６２における、前扉７の下部７０２に対向する位置には、第３施錠機構５による前扉７と本体枠６２との施錠及び解錠を行うために、第３被係合部６２３が設けられている。第３スライド部材５１には、第３被係合部６２３と係合する第３係合部５１１が設けられている。本形態の第３係合部５１１は、前扉７の下部７０２における左右方向Ｗの中心部分に設けられている。第３係合部５１１は、図２、図５に示すように、第３スライド部材５１が施錠位置５０１にある状態において、第３被係合部６２３に係合しており、図４に示すように、第３スライド部材５１が解錠位置５０２に向けて左右方向Ｗにスライドした状態において、第３被係合部６２３との係合が解除される。
【００４３】
図４に示すように、シリンダ錠２のカム２２が第１回動方向Ｃ１に回動されるときには、第１スライド部材３２の上側被係止部３２１及びスライド伝達部材５２の伝達被係止部５２１が、カム２２の上側係止部２２１によって係止されて、第１スライド部材３２が施錠位置３０１から第１解錠位置３０２へスライドするとともに、スライド伝達部材５２が定位置５０３からスライド位置５０４へスライドする。そして、スライド伝達部材５２のスライドを受けて、回動部材５３を介して第３スライド部材５１が施錠位置５０１から解錠位置５０２へスライドする。
【００４４】
また、図５に示すように、シリンダ錠２のカム２２が第２回動方向Ｃ２に回動されるときには、第１スライド部材３２の下側被係止部３２２がカム２２の下側係止部２２２によって係止されて、第１スライド部材３２が施錠位置３０１から第２解錠位置３０３へスライドする。このとき、スライド伝達部材５２の逃げ穴５２２はカム２２の下側係止部２２２によって係止されず、第３スライド部材５１は施錠位置５０１に維持される。
本形態の第３施錠機構５は、前扉ベース部材３１、第３スライド部材５１、案内部材５１２、スライド伝達部材５２、回動部材５３、第４付勢部材５４及び第５付勢部材５５によって構成されている。
【００４５】
本形態の施錠装置１においては、第１施錠機構３、スライド機構３Ａ及び第３施錠機構５を、前扉７に集約して設けることにより、本体枠６２におけるスペースの拡大を図っている。ただし、外枠６１に対する本体枠６２の施錠を行う第２施錠機構４は、本体枠６２に設ける必要がある。そこで、本体枠６２におけるスペースを極力広く保つために、第２施錠機構４を構成する第２スライド部材４２を配置する構造に工夫をしている。
【００４６】
具体的には、図７に示すように、第２スライド部材４２の前後方向Ｄの中心よりも前側に配置された第２スライド部材４２の前側部分４２１は、第２スライド部材４２の前後方向Ｄの中心よりも後側に配置された第２スライド部材４２の後側部分４２２に比べて左右方向Ｗの外側に位置している。本形態の第２スライド部材４２は、遊技機６の前後方向Ｄに沿った基準線Ｋに対して、１〜１０°の角度θで傾斜して配置されている。また、第２スライド部材４２の傾斜に合わせて、本体枠６２の、第２スライド部材４２が配置された側の側部６０２、及び本体枠ベース部材４１も傾斜している。そして、第２スライド部材４２の前後方向Ｄの前側に位置する部分ほど、左右方向Ｗの外側に位置している。
【００４７】
第２スライド部材４２の前側部分４２１が、後側部分４２２に比べて左右方向Ｗの外側に位置することに伴い、本体枠６２及び本体枠６２の遊技盤６２１の寸法は、左右方向Ｗの外側に拡大している。後側部分４２２に比べて前側部分４２１が左右方向Ｗの外側に位置する第２スライド部材４２の構成により、遊技盤６２１の左右方向Ｗの配置スペースを極力拡大することができる。
【００４８】
次に、本体枠６２に対して前扉７を開閉する場合、及び外枠６１に対して本体枠６２を開閉する場合の施錠装置１の動作について説明する。
図７に示すように、本体枠６２に対して前扉７が閉じられ、かつ外枠６１に対して本体枠６２が閉じられた状態においては、第１スライド部材３２、第２スライド部材４２及び第３スライド部材５１のそれぞれが施錠位置３０１，４０１，５０１にある。そして、本体枠６２の第１被係合部６２２に前扉７の第１施錠機構３の第１係合部３４が係合するとともに、本体枠６２の第３被係合部６２３に前扉７の第３施錠機構５の第３係合部５１１が係合して、前扉７が本体枠６２に閉じられた状態が施錠される。また、外枠６１の第２被係合部６１１に本体枠６２の第２施錠機構４の第２係合部４５が係合して、本体枠６２が外枠６１に閉じられた状態が施錠されている。
【００４９】
図８に示すように、本体枠６２に対して前扉７を開けるときには、図４に示すように、遊技機６の管理者は、シリンダ錠２の鍵穴２１１に鍵２１を差し込み、鍵２１を第１回動方向Ｃ１へ回動させる。このとき、シリンダ錠２のカム２２の上側係止部２２１が、第１スライド部材３２の上側被係止部３２１を係止して、第１スライド部材３２が施錠位置３０１から第１解錠位置３０２へスライドする。また、このとき、カム２２の上側係止部２２１が、スライド伝達部材５２の伝達被係止部５２１を係止して、スライド伝達部材５２が定位置５０３からスライド位置５０４にスライドするとともに、スライド伝達部材５２によって回動部材５３が回動し、回動部材５３によって第３スライド部材５１が施錠位置５０１から解錠位置５０２へスライドする。こうして、本体枠６２の第１被係合部６２２及び第３被係合部６２３に対する、前扉７における、第１施錠機構３の第１係合部３４及び第３施錠機構５の第３係合部５１１の係合が解除されて、本体枠６２に対する前扉７の解錠が行われ、管理者は、本体枠６２に対して前扉７を開けることができる。
【００５０】
本体枠６２に対して前扉７が開けられた後には、第１スライド部材３２は、第１付勢部材３５の付勢力によって施錠位置３０１に戻り、第３スライド部材５１は、第３付勢部材４４の付勢力によって施錠位置３０１に戻り、スライド伝達部材５２は、第５付勢部材５５の付勢力によって定位置２０１に戻り、回動部材５３は、第３スライド部材５１及びスライド伝達部材５２のスライドに伴って元の位置に回動する。
【００５１】
次いで、本体枠６２に対して前扉７を閉じるときには、前扉７の第１施錠機構３の第１係合部３４が本体枠６２の第１被係合部６２２に衝突して、第１付勢部材３５の付勢力に抗して第１スライド部材３２が第１解錠位置３０２に一旦スライドした後、施錠位置３０１に戻る。また、このときには、前扉７の第３施錠機構５の第３係合部５１１が本体枠６２の第３被係合部６２３に衝突して、第４付勢部材５４の付勢力に抗して第３スライド部材５１が解錠位置５０２に一旦スライドした後、施錠位置５０１に戻る。こうして、本体枠６２の第１被係合部６２２及び第３被係合部６２３に対して、前扉７における、第１施錠機構３の第１係合部３４及び第３施錠機構５の第３係合部５１１が係合して、本体枠６２に対して前扉７が閉じられた状態が施錠される。
【００５２】
図９に示すように、外枠６１に対して本体枠６２を開けるときには、遊技機６の管理者は、シリンダ錠２の鍵穴２１１に鍵２１を差し込み、鍵２１を第２回動方向Ｃ２へ回動させる。前扉７は、本体枠６２と一体的に移動する。このとき、シリンダ錠２のカム２２の下側係止部２２２が、第１スライド部材３２の下側被係止部３２２を係止して、第１スライド部材３２が施錠位置３０１から第２解錠位置３０３へスライドする。そして、第１スライド部材３２に設けられた、スライド機構３Ａの押圧部３２３が、第２スライド部材４２の被押圧部４３を押し、第２スライド部材４２が、施錠位置４０１から解錠位置４０２へスライドする。このとき、カム２２の下側係止部２２２は、スライド伝達部材５２の逃げ穴５２２内を移動して、スライド伝達部材５２を係止しない。こうして、外枠６１の第２被係合部６１１に対する本体枠６２の第２施錠機構４の第２係合部４５の係合が解除されて、外枠６１に対する本体枠６２の解錠が行われ、管理者は、外枠６１に対して本体枠６２を開けることができる。
【００５３】
なお、外枠６１に対して本体枠６２が解錠された後には、第１スライド部材３２は、第２付勢部材３６の付勢力や第１スライド部材３２の自重によって施錠位置３０１に戻る。このとき、上述した本体枠６２の解錠状態の一旦維持構造により、第２スライド部材４２が解錠位置４０２に維持されている。その後、外枠６１に対して本体枠６２を閉じる操作によって、第２係合部４５と、係合部材４６に設けられたリンク機構との連動動作により、解錠の一旦維持状態が解除される。そして、第３付勢部材４４の付勢力を受けて第２スライド部材４２が施錠位置４０１にスライドし、外枠６１の第２被係合部６１１に対して、本体枠６２の第２施錠機構４の第２係合部４５が係合して、外枠６１に対して本体枠６２が閉じられた状態が施錠される。
【００５４】
本形態の遊技機６の施錠装置１においては、本体枠６２に対する前扉７の側部７０１の施錠を行うための第１施錠機構３と、本体枠６２に対する前扉７の下部７０２の施錠を行うための第３施錠機構５とを、前扉７に配置している。そして、第１施錠機構３及び第３施錠機構５は、いずれも同じシリンダ錠２の操作を受けてスライドして、前扉７と本体枠６２との施錠及び解錠を行う。これにより、簡単な構造上の工夫によって、本体枠６２に対する前扉７の施錠を強固にし、前扉７を遊技機６の前方に引っ張るときに前扉７と本体枠６２との間に形成される隙間を利用した不正行為に対して、前扉７の防犯性を高めることができる。
【００５５】
また、遊技機６においては、前扉７の側部７０１の施錠を行う第１施錠機構３と、前扉７の下部７０２の施錠を行う第３施錠機構５とを、前扉７に集約して設けており、本体枠６２には、第２施錠機構４が設けられるのみである。これにより、施錠装置１の配置によって、本体枠６２における遊技盤６２１の配置スペースが縮小されないようにすることができる。
【００５６】
それ故、本形態の遊技機６の施錠装置１によれば、遊技盤６２１の配置スペースを確保して、前扉７の防犯性を高めることができる。
【００５７】
本形態においては、スライド機構３Ａは、第１施錠機構３を構成する第１スライド部材３２を利用して形成した。これ以外にも、スライド機構３Ａは、第１スライド部材３２とは別にスライドするスライド部材を用いて構成することもできる。
また、本形態の施錠装置１は、パチンコ遊技機６以外にも、アレンジボール遊技機、スロットマシン、又はその他の遊技機に用いてもよい。
【００５８】
また、遊技機６においては、次の種々の構成を採用することもできる。
前述したように、前扉７は、透明板ユニット７２と扉本体７１とによって構成されており、本体枠６２に対して前扉７を開けた状態において、扉本体７１から透明板ユニット７２を取り外したい場合がある。図１に示すように、透明板ユニット７２は、種々のロック機構７４を介して扉本体７１に取り付けられている。そして、扉本体７１からの透明板ユニット７２の取外しを容易にするために、ロック機構７４の一部の機能を第１施錠機構３に持たせることができる。この場合、第１施錠機構３には、扉本体７１の一方の側部７０１において、透明板ユニット７２の枠体７２１に係合して、扉本体７１に対する枠体７２１の保持状態をロックする係合ロック部３７を設ける。また、扉本体７１における、透明板ユニット７２の枠体７２１の下部に対向する位置には荷重受け部７５が設けられており、扉本体７１の他方の側部７０１Ａには、既存のロック部７６が設けられている。
【００５９】
この場合には、第１施錠機構３によって本体枠６２に対する前扉７の施錠が解錠されたときに、透明板ユニット７２の枠体７２１に対する係合ロック部３７の係合状態が解除される。そして、扉本体７１から透明板ユニット７２を取り外しやすくすることができる。また、本体枠６２に対して前扉７を閉じたときには、必然的に、係合ロック部３７が、透明板ユニット７２の枠体７２１に係合し、扉本体７１に透明板ユニット７２が保持された状態がロックされる。そのため、扉本体７１に透明板ユニット７２が保持された状態が、誤ってロックされないことを防止することができる。
【００６０】
また、第１施錠機構３に設ける係合ロック部３７は、ロック部７６が扉本体７１の両方の側部７０１，７０１Ａに設けられた既存のロック機構７４に対して、追加して設けることもできる。この場合には、扉本体７１に対する透明板ユニット７２の保持をより確実に行うことができる。また、第１施錠機構３を用いて、透明板ユニット７２を扉本体７１に確実に固定することにより、透明板ユニット７２を扉本体７１に対して故意に移動させて、異物を挿入可能な隙間を形成する不正行為を、より確実に防止することもできる。
【００６１】
また、図１に示すように、前扉７の扉本体７１の裏面には、第３スライド部材５１、スライド伝達部材５２及び回動部材５３を覆うカバー７７を設けることができる。そして、カバー７７の上面には、遊技球が流下せずに載置されてしまうことを防止するための傾斜面７７１を設けることができる。この傾斜面７７１は、前扉７の裏面における奥側から手前側へ下降傾斜する状態で設けることができる。カバー７７を設けることによって、遊技球が不要に衝突して第３スライド部材５１、スライド伝達部材５２及び回動部材５３が破損することを確実に防止することができる。
【００６２】
また、図７、図１０に示すように、本体枠６２において、遊技盤６２１の後方に配置される制御装置（制御基板等）６４を覆う裏機構カバー６３には、外枠６１に本体枠６２が閉じられた状態において、裏機構カバー６３に対して開閉可能な内カバー６３１を設けることができる。制御装置６４は、遊技機６における種々の電子制御を行うためのものである。内カバー６３１は、制御装置６４と対向する位置に設ける。裏機構カバー６３は、通常、本体枠６２に対して開閉可能に設けられている一方、外枠６１に対して本体枠６２を開けない限り開けることができない。これに対し、内カバー６３１によれば、外枠６１に対して本体枠６２が閉じられたままの状態において、内カバー６３１を開けて、制御装置６４のメンテナンスを行うことができる。なお、内カバー６３１は、ヒンジ機構によって開閉可能にし、磁石等の吸着力を利用して、裏機構カバー６３に対して閉じた状態を維持することができる。
【００６３】
また、図１０、図１１に示すように、本体枠６２の裏側の上部には、遊技球Ｂを貯留しながら整流させて、球送り装置６６へ流下させるための球タンク６５が配置されている。球タンク６５は、遊技球Ｂを貯留する貯留部６５１と、貯留部６５１から流下する遊技球Ｂを整流するレール部６５２とを有する。そして、レール部６５２は、遊技球Ｂの流れの上流側からそれぞれの遊技球Ｂに加わる球圧によって遊技球Ｂが流れる勢いを利用して整流する形状にすることができる。
【００６４】
具体的には、レール部６５２は、遊技球Ｂが流れる勢いを利用して、遊技球Ｂが２段に積まれるとともに１列に並ぶ状態で左右方向に流下し、その後、１.５〜２球分の球流路幅を有することによって、遊技球Ｂが、ほぼ２段積みになった状態を維持しながら下方向へ屈曲して流下する形状にすることができる。また、レール部６５２は、遊技球Ｂが下方向へ流下する過程においては、遊技球Ｂが、１段及び１列に並んで流れる状態に収斂する形状とすることができる。
【００６５】
本発明は、本実施形態のみに限定されるものではなく、その要旨を逸脱しない範囲においてさらに異なる実施形態を構成することが可能である。
【符号の説明】
【００６６】
１  施錠装置
２  シリンダ錠
２２  カム
３  第１施錠機構
３１  前扉ベース部材
３２  第１スライド部材
３４  第１係合部
３Ａ  スライド機構
４  第２施錠機構
４１  本体枠ベース部材
４２  第２スライド部材
４２１  前側部分
４２２  後側部分
４５  第２係合部
５  第３施錠機構
５１  第３スライド部材
５１１  第３係合部
５２  スライド伝達部材
５３  回動部材
６  遊技機
６１  外枠
６１１  第２被係合部
６２  本体枠
６２１  遊技盤
６２２  第１被係合部
６２３  第３被係合部
７  前扉
【図１】
2018082826.tif 000003
【図２】
2018082826.tif 000004
【図３】
2018082826.tif 000005
【図４】
2018082826.tif 000006
【図５】
2018082826.tif 000007
【図６】
2018082826.tif 000008
【図７】
2018082826.tif 000009
【図８】
2018082826.tif 000010
【図９】
2018082826.tif 000011
【図１０】
2018082826.tif 000012
【図１１】
2018082826.tif 000013